(57)【特許請求の範囲】
【請求項１】
光が通過する貫通孔を中心に有する磁石体と、この貫通孔内に配置されかつ光が透過する常磁性体から成るファラデー素子とを備えるファラデー回転子において、
磁化方向が光軸と垂直でかつ光軸に向かう方向に磁化されている第１の磁石と、磁化方向が光軸と垂直でかつ光軸から離れる方向に磁化されている第２の磁石と、上記第１の磁石と第２の磁石間に配置され磁化方向が光軸と平行でかつ第２の磁石から第１の磁石に向かう方向に磁化されている第３の磁石とで上記磁石体が構成され、第１、第２の磁石および第３の磁石の各中心には上記磁石体の貫通孔を構成する孔部が設けられていると共に、これ等孔部で構成される貫通孔の長さ方向中央部にファラデー素子が配置され、かつ、第１の磁石と第２の磁石の光軸方向の長さが共に（Ｌ２）で等しく、第３の磁石の光軸方向の長さを（Ｌ３）としたときに、下記式（１）の関係が成り立っていることを特徴とするファラデー回転子。
Ｌ２／１０≦Ｌ３≦Ｌ２                    式（１）
【請求項２】
請求項１に記載のファラデー回転子が光軸方向に沿って２個直列に接続され、かつ、第１のファラデー回転子と第２のファラデー回転子の間には、第１と第２のファラデー回転子の貫通孔に連通した孔部を有する内側磁石とこの内側磁石の外径より大きい孔部を有しこの孔部に内側磁石全体が嵌入された外側磁石とで構成される第４の磁石対が配置されていると共に、内側磁石と外側磁石の磁化方向が光軸と平行でかつ互いに逆方向に磁化されていることを特徴とするファラデー回転子。
【請求項３】
内側磁石全体が外側磁石の孔部に嵌入された上記第４の磁石対における光軸方向の長さが（Ｌ２／２）以上であることを特徴とする請求項２に記載のファラデー回転子。
【請求項４】
第３の磁石における孔部の全て若しくは一部が、第１の磁石および第２の磁石における孔部よりもその径が大きいことを特徴とする請求項１〜３のいずれかに記載のファラデー回転子。
【請求項５】
複数の磁石片を組み合わせて上記第１および第２の各磁石が構成されていることを特徴とする請求項１〜４のいずれかに記載のファラデー回転子。
【発明の詳細な説明】
【技術分野】
【０００１】
本発明は、光通信システムやレーザー加工システム等に用いられる磁気光学デバイスに係り、特に、光源から出射された光が光学素子の端面で反射し、光源に戻ることを防止する光アイソレータ等に用いられるファラデー回転子の改良に関するものである。
【背景技術】
【０００２】
ファラデー回転子は、ファラデー素子とこのファラデー素子へ磁界を加えてファラデー効果を発生させるための磁石からなる機能素子であり、光通信システムやレーザー加工システム等に用いられる半導体レーザーへの戻り光を遮断し、そのレーザー発振を安定させるために必要な光アイソレータ等の磁気光学デバイスに用いられている。
【０００３】
図１は、現在、光通信システムで使われている基本的なファラデー回転子の断面図である。図中の符号１０は、光軸方向に磁化した（黒矢印）永久磁石（磁石体）であり、一般的にその形状は円筒型で、その貫通孔の中にファラデー素子１１が挿入してある。ファラデー素子１１は、永久磁石１０における貫通孔中の光軸方向の磁界によってファラデー効果を発生する。従来、光通信システムで使われる光の波長帯域は主に１．３〜１．７μｍであり、光アイソレータの中には、ファラデー素子として希土類鉄ガーネット膜が永久磁石の中に挿入された形でファラデー回転子として使われていた。
【０００４】
近年、加工機用ファイバーレーザーの励起に使われる半導体レーザーの保護に使用される光アイソレータの需要が高まっているが、ここで使われる光の波長は光通信帯域よりも短い波長、主に１μｍ付近の波長である。そして、１μｍ付近の波長では、希土類鉄ガーネット膜は光の吸収が大きく使用に耐えられないため、テルビウム・ガリウム・ガーネット（以下、ＴＧＧと略記する場合がある）やテルビウムガラス等の常磁性体が上記ファラデー素子として使われている。
【０００５】
特に、ファラデー回転子を光アイソレータに使う場合は、ファラデー効果により光の偏光面を回転させ、その回転角度（以下、ファラデー回転角と称する）が４５度（以下、４５゜と表記する）でなければならない。ファラデー素子の長さをＬ、ベルデ定数をＶ、光軸方向の磁界をＨとすると、ファラデー回転角＝Ｖ×Ｌ×Ｈとなる。
【０００６】
ファラデー素子のベルデ定数は空間的に一定であるが、磁石で作る光軸方向の磁界は空間的に一定とは限らないため、実際は、
ファラデー回転角＝ΣＶ・Ｈ(Ｌ)・ΔＬ                    式（２）
となる。
【０００７】
しかしながら、ＴＧＧやテルビウムガラス等の上記常磁性体はベルデ定数が小さく、偏光方向を回転させる能力が小さいため大きな磁界が必要とされ、結果として上記常磁性体は光軸方向に長い大きなものが必要となり、同時にこれを磁化する永久磁石も巨大なものとなってしまっていた。
【０００８】
そして、常磁性体と磁石の巨大化は大きなコストアップにつながるだけでなく、強力な漏洩磁界のため、光アイソレータの組立、更には光アイソレータのデバイスへの組込みを困難なものとしていた。
【０００９】
また、上記常磁性体の寸法が光軸方向へ長くなると、レーザー光透過の際、光を吸収して常磁性体の温度が上がり、ファラデー回転角が４５゜からずれて光アイソレータとしての性能を低下させる原因へもつながっている。
【００１０】
このような問題を解決する手法として、図５に示すように、磁化方向が光軸と垂直でかつ光軸に向かう方向に磁化されている第１の磁石１と、磁化方向が光軸と垂直でかつ光軸から離れる方向に磁化されている第２の磁石２とで貫通孔を有する磁石体を構成し、この磁石体の上記貫通孔内にファラデー素子５を配置して、ファラデー素子５への磁界強度を高めたファラデー回転子が既に開発されている（特許文献１、２参照）。
【特許文献１】特開２００４−３０２４１２号公報
【特許文献２】特開２００７−２４８７７９号公報
【発明の開示】
【発明が解決しようとする課題】
【００１１】
そして、特許文献１、２に開示された手法により、ファラデー素子への磁界強度を高めることが可能となったが、ファラデー回転子の更なる小型化を図るためには、より強力な磁石体構造の開発が望まれている。
【００１２】
ところで、常磁性体（ファラデー素子）の温度上昇によるファラデー回転角のずれの問題を解決するには、短い複数個の常磁性体を組み合わせて放熱性を向上させる方法、例えばファラデー回転角が２２．５度となるファラデー回転子を２個直列に接続することが有効と考えられる。
【００１３】
しかし、特許文献１に記載されたファラデー回転子を直列に接続した場合、２つのファラデー回転子間に十分な間隔を設けないと、ファラデー素子に印加される磁界強度が低下するという問題が存在した。また、特許文献２に記載された光アイソレータの構造を応用することも考えられる。しかし、特許文献２は、ファラデー回転角が４５度のファラデー回転子間に偏光子が配置された、所謂セミダブル型光アイソレータ構造であるために機能するものであり、特許文献２に記載された磁石の構成で２つのファラデー素子のファラデー回転角を２２．５度としたのでは、偏光子と組み合わせて光アイソレータを構成したときに有効に機能させることはできないものとなる。
【００１４】
本発明はこのような問題点に着目してなされたもので、その課題とするところは、より小型のファラデー回転子を提供すると共に、このファラデー回転子を２個直列に接続させた場合でも、ファラデー回転子として有効に機能させることのできる小型のファラデー回転子を提供することにある。
【課題を解決するための手段】
【００１５】
すなわち、請求項１に係る発明は、
光が通過する貫通孔を中心に有する磁石体と、この貫通孔内に配置されかつ光が透過する常磁性体から成るファラデー素子とを備えるファラデー回転子において、
磁化方向が光軸と垂直でかつ光軸に向かう方向に磁化されている第１の磁石と、磁化方向が光軸と垂直でかつ光軸から離れる方向に磁化されている第２の磁石と、上記第１の磁石と第２の磁石間に配置され磁化方向が光軸と平行でかつ第２の磁石から第１の磁石に向かう方向に磁化されている第３の磁石とで上記磁石体が構成され、第１、第２の磁石および第３の磁石の各中心には上記磁石体の貫通孔を構成する孔部が設けられていると共に、これ等孔部で構成される貫通孔の長さ方向中央部にファラデー素子が配置され、かつ、第１の磁石と第２の磁石の光軸方向の長さが共に（Ｌ２）で等しく、第３の磁石の光軸方向の長さを（Ｌ３）としたときに、下記式（１）の関係が成り立っていることを特徴とするものである。
【００１６】
Ｌ２／１０≦Ｌ３≦Ｌ２                    式（１）
次に、請求項２に係る発明は、
光が通過する貫通孔を中心に有する磁石体と、この貫通孔内に配置されかつ光が透過する常磁性体から成るファラデー素子とを備えるファラデー回転子において、
請求項１に記載のファラデー回転子が光軸方向に沿って２個直列に接続され、かつ、第１のファラデー回転子と第２のファラデー回転子の間には、第１と第２のファラデー回転子の貫通孔に連通した孔部を有する内側磁石とこの内側磁石の外径より大きい孔部を有しこの孔部に内側磁石全体が嵌入された外側磁石とで構成される第４の磁石対が配置されていると共に、内側磁石と外側磁石の磁化方向が光軸と平行でかつ互いに逆方向に磁化されていることを特徴とする。
【００１７】
また、請求項３に係る発明は、
請求項２に記載の発明に係るファラデー回転子において、
内側磁石全体が外側磁石の孔部に嵌入された上記第４の磁石対における光軸方向の長さが（Ｌ２／２）以上であることを特徴とし、
請求項４に係る発明は、
請求項１〜３のいずれかに記載の発明に係るファラデー回転子において、
第３の磁石における孔部の全て若しくは一部が、第１の磁石および第２の磁石における孔部よりもその径が大きいことを特徴し、
請求項５に係る発明は、
請求項１〜４のいずれかに記載の発明に係るファラデー回転子において、
複数の磁石片を組み合わせて上記第１および第２の各磁石が構成されていることを特徴とするものである。
【発明の効果】
【００１８】
請求項１、４〜５に係るファラデー回転子によれば、
磁化方向が光軸と垂直でかつ光軸に向かう方向に磁化されている第１の磁石と、磁化方向が光軸と垂直でかつ光軸から離れる方向に磁化されている第２の磁石と、上記第１の磁石と第２の磁石間に配置され磁化方向が光軸と平行でかつ第２の磁石から第１の磁石に向かう方向に磁化されている第３の磁石とで磁石体が構成され、第１、第２の磁石および第３の磁石の各中心には上記磁石体の貫通孔を構成する孔部が設けられていると共に、これ等孔部で構成される貫通孔の長さ方向中央部にファラデー素子が配置され、かつ第１の磁石と第２の磁石の光軸方向の長さが共に（Ｌ２）で等しく、第３の磁石の光軸方向の長さを（Ｌ３）としたときに、上記式（１）の関係が成り立っていることを特徴としている。
【００１９】
そして、特許文献１、２に開示された手法と比較し、磁化方向が光軸と平行でかつ第２の磁石から第１の磁石に向かう方向に磁化されている上記第３の磁石の作用により、ファラデー素子への磁界強度を更に高めることができるため、ファラデー素子における光軸方向の長さ寸法が低減されてファラデー回転子の更なる小型化を図ることが可能となる。
【００２０】
また、請求項２〜５に係るファラデー回転子によれば、
請求項１に記載のファラデー回転子が光軸方向に沿って２個直列に接続され、かつ、第１のファラデー回転子と第２のファラデー回転子の間には、第１と第２のファラデー回転子の貫通孔に連通した孔部を有する内側磁石とこの内側磁石の外径より大きい孔部を有しこの孔部に内側磁石全体が嵌入された外側磁石とで構成される第４の磁石対が配置されていると共に、内側磁石と外側磁石の磁化方向が光軸と平行でかつ互いに逆方向に磁化されていることを特徴としている。
【００２１】
そして、内側磁石と外側磁石とで構成されると共に各磁石の磁化方向が光軸と平行でかつ互いに逆方向に磁化された第４の磁石対の作用により、十分な間隔を設けることなく第１のファラデー回転子と第２のファラデー回転子とを直列に接続させた場合でも、ファラデー素子へ印加する磁界強度の低下が起りにくいため、光吸収によるファラデー素子の温度上昇が抑制され、これによりファラデー回転角が安定したファラデー回転子の更なる小型化を図ることが可能となる。
【発明を実施するための最良の形態】
【００２２】
以下、本発明の実施の形態について説明する。
【００２３】
まず、光が通過する貫通孔を中心に有する磁石体とこの貫通孔内に配置されかつ光が透過する常磁性体から成るファラデー素子とを備える本発明のファラデー回転子は、磁化方向が光軸と垂直でかつ光軸に向かう方向に磁化されている第１の磁石と、磁化方向が光軸と垂直でかつ光軸から離れる方向に磁化されている第２の磁石と、上記第１の磁石と第２の磁石間に配置され磁化方向が光軸と平行でかつ第２の磁石から第１の磁石に向かう方向に磁化されている第３の磁石とで上記磁石体が構成され、第１、第２の磁石および第３の磁石の各中心には上記磁石体の貫通孔を構成する孔部が設けられていると共に、これ等孔部で構成される貫通孔の長さ方向中央部にファラデー素子が配置され、かつ、第１の磁石と第２の磁石の光軸方向の長さが共に（Ｌ２）で等しく、第３の磁石の光軸方向の長さを（Ｌ３）としたときに、下記式（１）の関係が成り立っていることを特徴とする。
【００２４】
Ｌ２／１０≦Ｌ３≦Ｌ２                    式（１）
そして、磁化方向が光軸と平行でかつ第２の磁石から第１の磁石に向かう方向に磁化されている上記第３の磁石は、第１の磁石および第２の磁石の相互作用で作り出される磁界を更に高めるための補助的役割を果たすが、光軸方向の長さが短すぎると補助磁石の役割が十分に発揮できず、また、長すぎると、第１および第２の磁石の相互作用で作り出される磁界が逆に弱まってしまうため、式（１）の範囲とする。
【００２５】
また、上記ファラデー回転子を２個直列に接続する場合、第１のファラデー回転子から第２のファラデー回転子へ流れる磁力線により、ファラデー素子に印加される磁界が弱まってしまう。
【００２６】
そこで、第１のファラデー回転子と第２のファラデー回転子の間に、光軸方向に対して反平行に磁化された内側磁石と外側磁石とで構成された上記第４の磁石対を配置し、第１のファラデー回転子から第２のファラデー回転子へ流れる磁力線を打ち消すことで、ファラデー素子に印加される磁界の減少を防止している。その際、第４の磁石対の光軸方向の長さは、第１の磁石の光軸方向長さＬ２の１／２以上であることが望ましい。
【００２７】
また、第３の磁石の孔部（貫通孔）付近には、第１の磁石および第２の磁石の相互作用で作り出された非常に大きな磁界が発生するため、第３の磁石として使用する磁石の残留磁束密度や保磁力によっては、第３の磁石の孔部（貫通孔）付近で、減磁や磁化反転が生じて、第３の磁石の効果が減じるという不都合が発生する場合がある。このような場合には、図７に示すように第３の磁石３の孔部（貫通孔）の全て若しくは一部の径を、第１の磁石１および第２の磁石２の孔部（貫通孔）よりも大きくして、減磁や磁化反転が発生する部分を取り去ることが必要となる。
【００２８】
また、第１の磁石および第２の磁石は、複数の磁石片を組み合わせて構成することが、磁石作製の面からは好ましい。
【００２９】
以下、本発明の実施例について図面を用いて具体的に説明する。
【実施例１】
【００３０】
図２は、実施例１に係るファラデー回転子の断面図を示したものである。図２中、符号１、２および３は、第１の磁石、第２の磁石、第３の磁石を示し、その磁化方向を黒矢印で示してある。また、各磁石の中心には孔部（貫通孔）が設けられている。
【００３１】
そして、第１の磁石１は、光の進行する光軸に垂直でかつ外側から光軸に向かって磁化している。一方、第２の磁石２の磁化方向は、光軸に垂直ではあるが、第１の磁石１とは逆に光軸から外側に向かった方向に磁化している。また、第３の磁石３は、第１の磁石１と第２の磁石２の間に配置され、磁化方向が光軸と平行でかつ第２の磁石２から第１の磁石１に向かう方向に磁化されている。
【００３２】
また、ファラデー素子５は、第１の磁石１、第２の磁石２、第３の磁石３に設けられた孔部（貫通孔）の長さ方向中央部に配置されている。
【００３３】
そして、実施例１に係るファラデー回転子の作製に先立ち、ファラデー回転子の光軸方向の磁界分布を、有限要素法を用いたコンピューターシミュレーションにより求め、上述した式（１）（２）を満足し、かつ、ファラデー回転子としての体積が小さく、更に、ファラデー素子の長さ寸法も短くなるように最適化を行った。
【００３４】
磁石はＮｄ−Ｆｅ−Ｂ焼結磁石とし、ファラデー素子には直径が３ｍｍの円柱状のＴＧＧを使用するものとした。第１の磁石１は、図４に示すように６個の磁石片からなり、擬似的に光軸と垂直方向に磁化した形となっている。また、第２の磁石２も、第１の磁石１と同じ厚みの６個の磁石片からなり、磁化の方向は第１の磁石と反平行になっている。尚、第１の磁石１、第２の磁石２、第３の磁石３の中心には、上記ファラデー素子が収容されるよう、３．３ｍｍの孔部（貫通孔）を設けるものとした。
【００３５】
光の波長は１０６４ｎｍとし、ファラデー回転角が４５°となるような、３つの磁石の外径Ｌ１、第１の磁石１および第２の磁石２の光軸方向長さＬ２、第３の磁石３の光軸方向長さＬ３、および、ＴＧＧの光軸上の結晶長Ｃをコンピューターシミュレーションにより算出した。図３にＬ１〜Ｌ３およびＣの関係を示す。また、コンピューターシミュレーションの結果を表１に示す。
【００３６】
【表１】
0005239431.tif 000002
上記結果に基づき、実施例１に係るファラデー回転子を３台作製し、波長１０６４ｎｍ、光強度１００ｍＷのファイバーレーザー光を用いてファラデー回転角の評価を行った。
【００３７】
評価結果は、ファラデー回転角が４５±１°と良好なものであった。
【００３８】
次に、光強度を１０Ｗまで上げて連続照射を行ったところ、時間が経過してもファラデー回転角に変化は認められず、ＴＧＧの温度変化は無かった。
［比較例１］
特許文献１で開示された図５に示す構成のファラデー回転子を組み立てた。第１の磁石１および第２の磁石２には実施例１と同じものを用い、図３に示すＬ１〜Ｌ３の寸法は、実施例１と同じとした。すなわち、第１の磁石１と第２の磁石２の間には、第３の磁石を挿入せず、Ｌ３の長さだけ空間が設けられている。また、図５に示すように、第１の磁石１と第２の磁石２の外側には、厚さ０．３５ｍｍの円筒状の軟鉄（軟磁性体）６製部材を被せ、貫通孔には厚さが０．３５ｍｍで内径が２．６ｍｍの円筒状軟鉄（軟磁性体）６製部材を挿入した。このため、実施例１とは異なり、比較例１に係るファラデー素子には、直径が２．５ｍｍの円柱状のＴＧＧを使用したが、ＴＧＧの光軸上の長さは実施例１と同じく１２ｍｍとした。
【００３９】
そして、実施例１と同様、ファラデー回転角を評価したところ２７°であり、光アイソレータとしての使用は不可能なものであった。これは、常磁性体であるファラデー素子５に加わる磁界が不足していることによる。
【００４０】
また、比較例１に係るファラデー回転子における光軸上の磁界分布も、コンピューターシミュレーションにより求め、実施例１と比較した結果を図６に示す。図６のグラフ図から明らかなように、実施例１に係るファラデー回転子では、比較例１（従来技術）と比較して、光軸上の中心付近で極めて大きい磁界が得られていることが分かる。これにより、比較例１（従来技術）では、実施例１に係るファラデー回転子と同じ大きさの磁石および同じ常磁性体の長さではファラデー回転角４５°は実現できないことが確認される。
【００４１】
比較例１に係るファラデー回転子を、ＴＧＧの径および磁石の貫通孔径は固定で、ファラデー回転角４５°が実現できるときの大きさを、コンピューターシミュレーションから算出し、実施例１に係るファラデー回転子と、磁石の体積とＴＧＧの光軸上の長さについて比較した。この結果を表２に示す。尚、比較を容易にするため、実施例１の磁石体積（ａ．ｕ．）とＴＧＧ長（ａ．ｕ．）を１として、数値を規格化した。
【００４２】
【表２】
0005239431.tif 000003
この表２の数値から分かるように、実施例１に係るファラデー回転子は極めて小型化に好適であり、ファラデー素子の光軸上の長さ寸法が短くて済むため、光吸収による温度上昇が抑制されてファラデー回転角が安定していることが確認される。
【００４３】
また、ファラデー回転子の小型化は、磁石および常磁性体の使用量を抑えることにつながるため、コストパフォーマンスにも優れている。
【実施例２】
【００４４】
実施例１に係るファラデー回転子と同一のファラデー回転子を図８に示すように２個直列に接続し、かつ、２つのファラデー回転子間に、光軸方向に対して反平行に磁化された内側磁石と外側磁石とで構成された第４の磁石対４を挿入した構造のファラデー回転子を作製した。尚、第４の磁石対４を構成する上記内側磁石は、磁化方向が光軸と平行でかつ図８左側の第１ファラデー回転子から図８右側の第２ファラデー回転子へ向かう方向に磁化され、また、上記外側磁石は、磁化方向が光軸と平行でかつ図８右側の第２ファラデー回転子から図８左側の第１ファラデー回転子へ向かう方向に磁化されており、光軸方向に対して内側磁石と外側磁石は反平行に磁化されている。
【００４５】
そして、実施例１同様、コンピューターシミュレーションにより、ファラデー回転子としての体積が小さく、更に、常磁性体の長さ寸法も短くなるように最適化を行った。
【００４６】
各磁石およびファラデー素子には、実施例１と同様、Ｎｄ−Ｆｅ−Ｂ焼結磁石および直径が３ｍｍの円柱状のＴＧＧを使用するものとした。また、第１の磁石１および第２の磁石２も、実施例１と同様に６個の磁石片から構成した。尚、各磁石の中心には、上記ファラデー素子５が納められるように３．３ｍｍの孔部（貫通孔）を設けるものとした。
【００４７】
光の波長は１０６４ｎｍとし、２つのファラデー素子によるファラデー回転角の合計が４５°となるよう、４種類の磁石の外径Ｌ１、各磁石の光軸方向の長さＬ２〜Ｌ４およびＴＧＧの光軸上の結晶長Ｃをコンピューターシミュレーションにより算出した。
【００４８】
図８にＬ１〜Ｌ４およびＣの関係を示す。また、コンピューターシミュレーションの結果を表３に示す。
【００４９】
【表３】
0005239431.tif 000004
表３に示す寸法のファラデー回転子を組立て、光を透過させて特性評価を実施例１と同様に行った。
【００５０】
評価結果は、レーザー光強度が１００ｍＷのときのファラデー回転角は４５±１°と良好なものであり、光強度を１０Ｗまで上げて連続照射を行ってもファラデー回転角に変化は認められず、ＴＧＧの温度変化は無かった。尚、実施例１と比較し、温度特性の向上は確認されなかったが、ＴＧＧの結晶長が短くなっていることから、更にレーザー光強度を増大させた際には、実施例１より良好な温度特性を示すものと推察される。
【００５１】
このように、各実施例に係るファラデー回転子は極めて小型化に好適であり、ファラデー素子の光軸上の長さ寸法が短くて済むため、光吸収による温度上昇が抑制されてファラデー回転角が安定していることが分かる。また、ファラデー回転子の小型化は、磁石および常磁性体の使用量を抑えることにつながるためコストパフォーマンスにも優れている。
【産業上の利用可能性】
【００５２】
本発明に係るファラデー回転子は極めて小型化に好適で、かつ、ファラデー素子の光軸上の長さ寸法も短くて済むため、光吸収による温度上昇が抑制されてファラデー回転角が安定している。従って、光通信システムやレーザー加工システム等に利用される半導体レーザーへの戻り光を遮断しそのレーザー発振を安定させるために必要な光アイソレータ等の磁気光学デバイスに適用される産業上の利用可能性を有している。
【図面の簡単な説明】
【００５３】
【図１】光通信システムで使用されている基本的なファラデー回転子の概略断面図。
【図２】本発明に係るファラデー回転子の概略断面図。
【図３】実施例１に係るファラデー回転子の概略断面図。
【図４】実施例１に係るファラデー回転子の構成部材である第１の磁石の概略断面図。
【図５】比較例１（従来技術）に係るファラデー回転子の概略断面図。
【図６】実施例１と比較例１に係るファラデー回転子の光軸方向の磁界強度を比較したグラフ図。
【図７】本発明の変形例に係るファラデー回転子の概略断面図。
【図８】実施例２に係るファラデー回転子の概略断面図。
【符号の説明】
【００５４】
１  第１の磁石
２  第２の磁石
３  第３の磁石
４  第４の磁石対
５  常磁性体からなるファラデー素子
６  軟鉄（軟磁性体）
１０  永久磁石（磁石体）
１１  ファラデー素子
【図１】
0005239431.tif 000005
【図２】
0005239431.tif 000006
【図３】
0005239431.tif 000007
【図４】
0005239431.tif 000008
【図５】
0005239431.tif 000009
【図６】
0005239431.tif 000010
【図７】
0005239431.tif 000011
【図８】
0005239431.tif 000012